(57)【要約】【課題】  プロジェクタユニットの投影窓を保護するバリアを必要としない、簡易な構造を有するプロジェクタユニットを備える電子機器を提供する。【解決手段】  投影窓４４から画像の投影を行う投影ユニット２８と、投影ユニット２８を収容する筐体４と、投影ユニット２８により前記画像の投影を行わない場合には、投影ユニット２８の少なくとも投影窓４４を筐体４内に位置させ、投影ユニット２８により前記画像の投影を行う場合には、投影ユニット２８の少なくとも投影窓４４を筐体４から突出させる移動機構７０，７４，７６，７８とを備える。【選択図】  図５
2009284280.tif 000002
【特許請求の範囲】
【請求項１】
投影窓から画像の投影を行う投影ユニットと、
前記投影ユニットを収容する筐体と、
前記投影ユニットにより前記画像の投影を行わない場合には、前記投影ユニットの少なくとも前記投影窓を前記筐体内に位置させ、前記投影ユニットにより前記画像の投影を行う場合には、前記投影ユニットの少なくとも前記投影窓を前記筐体から突出させる移動機構とを備えることを特徴とする電子機器。
【請求項２】
前記移動機構により前記投影ユニットの少なくとも前記投影窓を前記筐体から突出させた場合に、前記投影ユニットにより前記画像の投影を行う投影モードを選択することを特徴とする請求項１記載の電子機器。
【請求項３】
前記移動機構により前記投影ユニットの少なくとも前記投影窓を前記筐体内に位置させた場合に、前記投影ユニットにより前記画像の投影を行う投影モードの選択を終了することを特徴とする請求項１又は２記載の電子機器。
【請求項４】
撮影窓を介して被写体を撮像する撮像ユニットと、
投影窓から画像の投影を行う投影ユニットと、
前記撮像ユニット及び前記投影ユニットを収容する筐体と、
前記投影ユニットにより前記画像の投影を行わない場合には、前記投影ユニットの少なくとも前記投影窓を前記筐体内に位置させ、前記投影ユニットにより前記画像の投影を行う場合には、前記投影ユニットの少なくとも前記投影窓を前記筐体から突出させる第１の移動機構を備えることを特徴とする撮像装置。
【請求項５】
前記第１の移動機構により前記投影ユニットの少なくとも前記投影窓を前記筐体から突出させた場合に、前記投影ユニットにより前記画像の投影を行う投影モードを選択することを特徴とする請求項４記載の撮像装置。
【請求項６】
前記第１の移動機構により前記投影ユニットの少なくとも前記投影窓を前記筐体内に位置させた場合に、前記投影ユニットにより前記画像の投影を行う投影モードの選択を終了することを特徴とする請求項４又は５記載の撮像装置。
【請求項７】
前記撮像ユニットにより前記被写体の撮像を行わない場合には、前記撮像ユニットの少なくとも前記撮影窓を前記筐体内に位置させ、前記撮像ユニットにより前記被写体の撮像を行う場合には、前記撮像ユニットの少なくとも前記撮影窓を前記筐体から突出させる第２の移動機構を備えることを特徴とする請求項４乃至６の何れか１項に記載の撮像装置。
【請求項８】
前記第２の移動機構により前記撮像ユニットの少なくとも前記撮影窓を前記筐体から突出させた場合に、前記撮像ユニットにより前記被写体の撮像を行う撮像モードを選択することを特徴とする請求項７記載の撮像装置。
【請求項９】
前記第２の移動機構により前記撮像ユニットの少なくとも前記撮影窓を前記筐体内に位置させた場合に、前記撮像ユニットにより前記被写体の撮像を行う撮像モードの選択を終了することを特徴とする請求項７又は８記載の撮像装置。
【発明の詳細な説明】
【技術分野】
【０００１】
本発明は、電子機器及び撮像装置に関するものである。
【背景技術】
【０００２】
プロジェクタユニットを備える撮像装置が知られている（例えば、特許文献１参照）。このような撮像装置においては、プロジェクタ機能を用いることにより、撮像画像を多くの人が一度に楽しむことができる。また、小さいスペースにプロジェクタユニット及び撮像ユニットを収納することで、小型で携帯性に優れるものとすることができる。
【特許文献１】特開２００５−２５０３９２号公報
【発明の開示】
【発明が解決しようとする課題】
【０００３】
ところで、プロジェクタユニットが内蔵された撮像装置は、プロジェクタユニットを設けると共に、プロジェクタユニットの投影窓を保護するバリア等を撮像装置の筐体に設ける必要があるため、構造が複雑になり製造コストも上昇する。
【０００４】
本発明の目的は、プロジェクタユニットの投影窓を保護するバリアを必要としない簡易な構造を有する電子機器及び撮像装置を提供することである。
【課題を解決するための手段】
【０００５】
本発明の電子機器は、投影窓から画像の投影を行う投影ユニットと、前記投影ユニットを収容する筐体と、前記投影ユニットにより前記画像の投影を行わない場合には、前記投影ユニットの少なくとも前記投影窓を前記筐体内に位置させ、前記投影ユニットにより前記画像の投影を行う場合には、前記投影ユニットの少なくとも前記投影窓を前記筐体から突出させる移動機構とを備えることを特徴とする。
【０００６】
また、本発明の撮像装置は、撮影窓を介して被写体を撮像する撮像ユニットと、投影窓から画像の投影を行う投影ユニットと、前記撮像ユニット及び前記投影ユニットを収容する筐体と、前記投影ユニットにより前記画像の投影を行わない場合には、前記投影ユニットの少なくとも前記投影窓を前記筐体内に位置させ、前記投影ユニットにより前記画像の投影を行う場合には、前記投影ユニットの少なくとも前記投影窓を前記筐体から突出させる第１の移動機構とを備えることを特徴とする。
【発明の効果】
【０００７】
本発明の電子機器及び撮像装置によれば、プロジェクタユニットのバリアが不要となるため、プロジェクタユニット内蔵型の電子機器及び撮像装置の構造を簡易なものとすることができ、製造コストを低下させることができる。
【発明を実施するための最良の形態】
【０００８】
以下、図面を参照して本発明の第１の実施の形態に係るカメラについて説明する。図１は、この実施の形態に係るカメラの外観を示す斜視図である。カメラ２は、金属やプラスチック等からなる筐体４を備え、前面には撮影窓６及びフラッシュ光が射出されるフラッシュ窓８が設けられている。また、カメラ２の上面には、電源スイッチ１０、レリーズ動作を指示するシャッタボタン１２及び開口１４が設けられており、画像の投影を行うときには、筐体４内に収納されているプロジェクタユニット２８（図５参照）の上部が開口１４から突出する。なお、画像の投影を行っていない状態では、図１に示すように、プロジェクタユニット２８の上面４６のみが開口１４から露出した状態になっている。プロジェクタユニット２８の上面４６は、カメラ２の上面と略平坦となるように位置しており、開口１４を閉塞するバリアとして機能している。また、上面４６には、リリースボタン４８が設けられており、リリースボタン４８を押下すると、プロジェクタユニット２８の上部を突出させることができる。
【０００９】
図２は、この実施の形態に係るカメラにおいて画像の投影を行っているときのカメラの外観を示す斜視図である。この状態では、プロジェクタユニット２８の上部の前面に設けられた画像の投影を行うための投影窓４４がカメラ２の上面から完全に露出しているため、投影窓４４を介して画像を投影することができる。
【００１０】
図３は、この実施の形態に係るカメラの背面の構成を示す図である。カメラ２の背面には、撮影条件、撮像モード等を選択するメニュー画面や撮影画像の表示を行うＬＣＤパネル２０及びＬＣＤパネル２０に表示されるメニュー画面の項目選択に使用する操作部２２が設けられている。
【００１１】
図４は、この実施の形態に係るカメラの内部に収納された各ユニットの配置を示す正面図である。カメラ２の筐体４の内部には、被写体を撮像するための撮像素子を有する撮像ユニット２６、画像を投影するための光学系等を有するプロジェクタユニット２８、撮像ユニット２６及びプロジェクタユニット２８に電力を供給するバッテリを収容する電池室３０が設けられている。
【００１２】
図５は、この実施の形態に係るプロジェクタユニットにおいて、画像投影を行っていないときのプロジェクタユニットの構成を示す部分断面図である。なお、図５は、カメラ２を正面から見たときの図であり、筐体４内の構成の一部も示されている。プロジェクタユニット２８のユニットケース３２の内部には、光源であるＬＥＤ（発光ダイオード）３４、ＬＥＤ３４から射出される光を略平行とするための集光レンズ３６、入射した光をＰ偏光成分の光とＳ偏光成分の光とに分離するＰＢＳ（偏光ビームスプリッタ）３８、画像を投影する投影レンズ４０及び投影レンズ４０から射出された画像の投影方向を偏向させる図示しないプリズムが設けられている。ユニットケース３２の図５における右側の側面には、ＬＥＤ３４に対向する位置に、プロジェクタユニット２８によって投影される画像を表示するＬＣＯＳ（反射型液晶素子）４２が設けられている。また、ユニットケース３２の上部の前面には、プリズムによって投影方向が偏向された画像が通過する投影窓４４が設けられている。
【００１３】
プロジェクタユニット２８においては、光源であるＬＥＤ３４から射出された光は、集光レンズ３６により略平行光にされた後にＰＢＳ３８に入射し、Ｐ偏光成分の光とＳ偏光成分の光とに分離される。Ｓ偏光成分の光は図５における下方に反射され、ＰＢＳ３８の無反射処理が施された下面に入射する。一方、Ｐ偏光成分の光は、ＰＢＳ３８を透過しＬＣＯＳ４２に入射する。ＬＣＯＳ４２に入射した光は、ＬＣＯＳ４２が備える図示しない反射膜により反射され、ＰＢＳ３８に再度入射する。ここで、ＬＣＯＳ４２を構成する図示しない液晶層は、電圧が印加されると入射光に対して位相板として機能する。従って、ＬＣＯＳ４２から射出する光のうち、液晶層により電圧が印加された画素領域を通過した光は、Ｐ偏光成分の光からＳ偏光成分の光に変換される。一方、液晶層により電圧が印加されていない画素領域を通過した光は、Ｐ偏光成分の光として進行する。そして、Ｓ偏光成分とＰ偏光成分との混合光としてＰＢＳ３８に再度入射した光は、ＰＢＳ３８によりＳ偏光成分の光のみが反射される。反射されたＳ偏光成分の光は、投影レンズ４０及びプリズムを介して、投影窓４４からカメラ２の前方へ投影される。即ち、ＬＣＯＳ４２に表示された画像が投影用画像として読み出され、カメラ２の前方向へ投影される。
【００１４】
図５に示すように、プロジェクタユニット２８が筐体４内に収納されている場合には、筐体４の開口１４と略同一の形状を有するユニットケース３２の上面４６は、開口１４を閉塞している。ユニットケース３２の下面には、スプリング取付板７２が設けられており、上端がスプリング取付板７２と結合し、下端が筐体４の下面４ｂと結合するスプリング７０が設置されている。また、筐体４の上面４ａには、下方に延びるストッパ７４が突設されている。また、ユニットケース３２の下面には、係止爪７６が設けられており、筐体４の下面４ｂに設置された係止凹部７８と係止してプロジェクタユニット２８を筐体４内に固定している。このとき、スプリング７０は、スプリング取付板７２及び下面４ｂによって圧縮された状態となっている。ここで、係止凹部７８は図示しないセンサなどの検出手段を有し、係止爪７６が係止凹部７８に対して係止されているか否かを検出する。この図５に示す場合には、係止爪７６が係止凹部７８に対して係止されていることが検出される。従って、プロジェクタユニット２８が筐体４内に収納され、投影窓４４が筐体４から突出していないと判断されて撮像モードが選択される。
【００１５】
また、係止爪７６と係止凹部７８は、係止爪７６が係止凹部７８内へ若干量押し込まれることによって係止が解除されるような既存のラッチ解除機能を備えている。従って、筐体４の開口１４から露出しているリリースボタン４８を押下してユニットケース３２を下方へ若干量押し込むと、係止爪７６と係止凹部７８との係止を解除することができる。なお、スプリング７０、ストッパ７４、係止爪７６、係止凹部７８は移動機構を構成している。また、スムーズな往復移動を実現するために、ガイドレール等のガイド手段を適宜設けてもよい。
【００１６】
図６は、この実施の形態に係るプロジェクタユニットにおいて、画像の投影を行っているときのプロジェクタユニットの構成を示す部分断面図である。なお、図６は、カメラ２を正面から見たときの図であり、筐体４内の構成の一部も示されている。係止爪７６と係止凹部７８との係止が解除された場合には、ユニットケース３２は、スプリング７０の弾性力によって、ストッパ７４にユニットケース３２のストッパ接触面５０が接するまで上昇移動する。このとき、ユニットケース３２の上部は筐体４の開口１４から突出し、図２に示されるような、投影窓４４が完全に露出した状態になる。このようにしてユニットケース３２の上部が開口１４から突出した場合には、係止凹部７８に設けられたセンサによって係止凹部７８と係止爪７６との係止が解除されたことが検出される。従って、投影窓４４が筐体４から突出したと判断されて投影モードが選択される。なお、スプリング７０は、ユニットケース３２上昇させた後においても依然として自然長よりも圧縮された状態にあるため、弾性力によってユニットケース３２をストッパ７４に対して圧接し、投影窓４４がカメラ２から突出している状態でユニットケース３２を筐体４内に固定する。
【００１７】
次に、この実施の形態に係るカメラの操作について説明する。カメラ２の電源がＯＦＦ状態では、プロジェクタユニット２８は、カメラ２の筐体４内に収納されている。従って、カメラ２の電源スイッチ１０が押下されて電源ＯＮ状態になると、係止凹部７８に設けられたセンサによる検出に基づいて、投影窓４４が筐体４内に収納されていると判断されて撮像モードが設定される。撮像モード設定時には、ＬＣＤパネル２０にスルー画像が表示され、この状態でシャッタボタン１２が押下されると、撮像ユニット２６によって被写体の撮影が行われる。
【００１８】
画像の投影を行う場合には、使用者は、カメラ２の上面の開口１４から露出しているリリースボタン４８を下方へ押し込んで係止爪７６と係止凹部７８との係止を解除する。係止が解除されると、ユニットケース３２はスプリング７０の弾性力によって上方へ移動し、ユニットケース３２の上部が開口１４から突出して、投影窓４４がカメラ２の上面から露出する。このとき、係止凹部７８に設けられたセンサによって、係止凹部７８と係止爪７６との係止が解除されたことが検出されて投影モードが設定される。投影モード設定時には、使用者は、カメラ２の背面の操作部２２を操作して画像の投影を行う。そして、画像の投影を終了して撮像モードに切り替える場合には、使用者は、カメラ２の上面に突出しているユニットケース３２の上面４６を下方へ押し込んでプロジェクタユニット２８を筐体４内に収納し、係止爪７６と係止凹部７８とを係止させる。このとき、係止凹部７８に設けられたセンサによって係止凹部７８と係止爪７６とが係止されたことが検出されると、投影モードの選択を終了し、撮像モードが選択される。即ち、この実施の形態に係るカメラにおいては、プロジェクタユニット２８の投影窓４４を筐体４から突出させると投影モードが設定されて画像の投影を行うことができ、投影窓４４を筐体４内に収納させると投影モードの選択を終了し、撮像モードを選択することができる。
【００１９】
なお、電源ＯＮ時に電源スイッチ１０が押下されると電源ＯＦＦ処理が行われるが、投影モード設定時に電源ＯＦＦ処理が行われた場合には、カメラ２の上面から突出しているユニットケース３２の収納は手動で行う。
【００２０】
この第１の実施の形態に係るカメラによれば、画像の投影を行うときにカメラの筐体から突出し、画像の投影を行わないときには該筐体内に収納される投影窓を有するプロジェクタユニットを備えているため、投影窓を保護するバリアを装置本体に設ける必要がない。従って、装置本体の構成を簡易にして製造コストを低下させることができる。また、プロジェクタユニットの投影窓をカメラの筐体から突出させると投影モードを選択し、投影窓を該筐体内に収納すると投影モードの選択を終了して撮像モードを選択するため、カメラの操作を簡便にすることができる。
【００２１】
次に、本発明の第２の実施の形態に係るカメラについて説明する。なお、第２の実施の形態に係るカメラは、第１の実施の形態のプロジェクタユニットとは異なる構成のプロジェクタユニット及び移動機構を有する点で、第１の実施の形態に係るカメラとは異なるが、これらの点以外は、第１の実施の形態に係るカメラと同一の構成を備えている。従って、第２の実施の形態の説明においては、第１の実施の形態に係るカメラと同一の構成については説明を省略する。また、この第２の実施の形態に係るカメラの説明においては、第１の実施の形態に係るカメラと同一の構成には第１の実施の形態で用いた符号と同一の符号を付して説明を行なう。
【００２２】
図７は、この実施の形態に係るプロジェクタユニットにおいて、画像の投影を行っていないときの構成を示すプロジェクタユニットの部分断面図である。なお、図７は、カメラ２を正面から見たときの図である。プロジェクタユニット１２８のユニットケース１３２の内部には、ユニットケース１３２に対して固定された光源室１３４が設置される。また、ユニットケース１３２内に設けられた内壁１３３ａ及び１３３ｂによって形成される空間内には、当該空間内を上下方向に移動して、ユニットケース１３２の上面に設けられた開口１３２ａより出没可能に設けられた投影レンズ室１５０が設置される。図７に示すように、投影レンズ室１５０がユニットケース１３２に収納されている場合には、開口１３２ａと略同一の形状を有する投影レンズ室１５０の上面１５２は、開口１３２ａを閉塞すると共に、カメラ２の筐体４の開口１４も閉塞している。
【００２３】
光源室１３４の内部には、第１の実施の形態に係るプロジェクタユニット２８と同様に、ＬＥＤ３４、集光レンズ３６、ＰＢＳ３８及びＬＣＯＳ４２が配置されている。また、投影レンズ室１５０の内部には、投影レンズ４０及び図示しないプリズムが配置され、投影レンズ室１５０の前面には投影窓４４が設けられている。
【００２４】
投影レンズ室１５０の図７における左側の側面には、内壁１３３ａに設けられたスリット穴１３３ｃを貫通するスプリング取付板１７２が設けられており、上端がスプリング取付板１７２と結合し、下端がユニットケース１３２の一側面から突出するように設けられたスプリングベース１７４と結合するスプリング１７０が設置されている。また、投影レンズ室１５０の図７における右側の側面には、内壁１３３ｂに設けられたスリット穴１３３ｄを貫通する係止爪１７６が設けられており、ユニットケース１３２に設置された係止凹部１７８に係止爪１７６が係止されて投影レンズ室１５０が筐体４内に収納された状態で固定されている。ここで、係止凹部１７８は図示しないセンサなどの検出手段を有し、係止爪１７６が係止凹部１７８に対して係止されているか否かを検出する。この図７に示す場合には、係止爪１７６が係止凹部１７８に対して係止されていることが検出され、投影レンズ室１５０が筐体４内に収納され、投影窓４４が筐体４から突出していないと判断されて撮像モードが選択される。
【００２５】
また、係止爪１７６と係止凹部１７８は、係止爪１７６が係止凹部１７８内へ若干量押し込まれることによって係止が解除されるような既存のラッチ解除機能を備えている。従って、開口１４から露出している投影レンズ室１５０の上面１５２に設けられたリリースボタン４８を押下して投影レンズ室１５０を下方へ若干量押し込むと、係止爪１７６と係止凹部１７８との係止を解除することができる。なお、スプリング１７０、係止爪１７６、係止凹部１７８及びスプリングベース１７４の上方に設けられたストッパ１８０が移動機構を構成している。また、スムーズな往復移動を実現するために、ガイドレール等のガイド手段を適宜設けてもよい。
【００２６】
図８は、この実施の形態に係るプロジェクタユニットにおいて、画像の投影を行っているときのプロジェクタユニットの構成を示す部分断面図である。なお、図８は、カメラ２を正面から見たときの図である。係止爪１７６と係止凹部１７８との係止が解除された場合には、投影レンズ室１５０は、スプリング１７０の弾性力によって、ストッパ１８０にスプリング取付板１７２の上面が接するまで上昇移動する。このとき、投影レンズ室１５０の上部は、筐体４の開口１４から突出し、投影レンズ室１５０の投影窓４４が完全に露出した状態になる。このようにして、投影レンズ室１５０が開口１４から突出した場合には、係止凹部１７８に設けられたセンサによって係止凹部１７８と係止爪１７６との係止が解除されたことが検出される。従って、投影窓４４が筐体４から突出したと判断されて投影モードが選択される。なお、投影レンズ室１５０は、スプリング１７０の弾性力によって、投影窓４４が筐体４から突出した状態で固定される。また、ＰＢＳ３８から射出された光がスリット穴１３３ｃ及び１３３ｄを通過して内壁１３３ａ及び１３３ｂの外へ分散するのを防ぐために、伸縮自在の遮蔽材等でスリット穴１３３ｃ及び１３３ｄを閉塞することが好ましい。
【００２７】
次に、この実施の形態に係るカメラの操作について説明する。カメラ２の電源がＯＦＦ状態では、プロジェクタユニット１２８の投影レンズ室１５０はカメラ２の筐体４内に収納されている。従って、カメラ２の電源スイッチ１０が押下されて電源ＯＮ状態になると、係止凹部１７８に設けられたセンサによる検出に基づいて撮像モードが設定される。
【００２８】
画像の投影を行う場合には、使用者は、投影レンズ室１５０のリリースボタン４８を下方へ押し込んで係止爪１７６と係止凹部１７８との係止を解除し、投影レンズ室１５０の上部を開口１４から突出させて、投影窓４４をカメラ２の上面から露出させる。このとき、係止凹部１７８に設けられたセンサによる検出に基づいて投影モードが設定される。投影モード設定時には、使用者は、カメラ２の背面の操作部２２を操作して画像の投影を行う。そして、画像の投影を終了して撮像モードに切り替える場合には、使用者は、カメラ２の上面に突出している投影レンズ室１５０の上面１５２を下方へ押し込んで投影レンズ室１５０を筐体４内に収納し、係止爪１７６と係止凹部１７８とを係止させる。このとき、係止凹部１７８に設けられたセンサによる検出に基づいて投影モードの選択が終了され、撮像モードが選択される。即ち、この実施の形態に係るカメラにおいては、投影レンズ室１５０の投影窓４４を筐体４から突出させると投影モードが設定されて画像の投影を行うことができ、投影レンズ室１５０を筐体４内に収納させると投影モードの選択を終了し、撮像モードを選択することができる。
【００２９】
なお、電源ＯＮ時に電源スイッチ１０が押下されると電源ＯＦＦ処理が行われるが、投影モード設定時に電源ＯＦＦ処理が行われた場合には、カメラ２の上面から突出している投影レンズ室１５０の収納は手動で行う。
【００３０】
この第２の実施の形態に係るカメラによれば、画像の投影を行うときにカメラの筐体から突出し、画像の投影を行わないときには該筐体内に収納される投影窓を有するプロジェクタユニットを備えているため、投影窓を保護するバリアを装置本体に設ける必要がない。従って、装置本体の構成を簡易にして製造コストを低下させることができる。また、プロジェクタユニットの投影窓をカメラの筐体から突出させると投影モードを選択し、投影窓を該筐体内に収納すると投影モードの選択を終了して撮像モードを選択するため、カメラの操作を簡便にすることができる。
【００３１】
次に、本発明の第３の実施の形態に係るカメラについて説明する。なお、第３の実施の形態に係るカメラは、第１の実施の形態の撮像ユニットとは異なる構成の撮像ユニットを有する点で、第１の実施の形態に係るカメラとは異なるが、これらの点以外は、第１の実施の形態に係るカメラと同一の構成を備えている。従って、第３の実施の形態の説明においては、第１の実施の形態に係るカメラと同一の構成については説明を省略する。また、この第３の実施の形態に係るカメラの説明においては、第１の実施の形態に係るカメラと同一の構成には第１の実施の形態で用いた符号と同一の符号を付して説明を行なう。
【００３２】
図９は、この実施の形態に係るカメラの外観を示す斜視図である。カメラ２０２の筐体４の上面には開口１４２が設けられている。カメラ２０２の電源がＯＦＦの状態では、図９に示されるように、開口１４からプロジェクタユニット２８の上面４６が露出し、開口１４２から撮像ユニット１２６（図１０参照）の上面６０が露出している。上面４６及び上面６０は、共にカメラ２０２の上面と略平坦となるように位置し、それぞれ開口１４及び開口１４２を閉塞するバリアとして機能している。なお、撮像ユニット１２６の上面６０にはリリースボタン６２が設けられており、押下されると筐体４内に収納されている撮像ユニット１２６の上部が突出する。
【００３３】
図１０は、この実施の形態に係るカメラの筐体内の構成を示す断面図である。なお、図１０は、カメラ２０２を正面から見たときの図である。プロジェクタユニット２８は、係止爪７６と係止凹部７８との係止によって筐体４内に収納された状態で固定されている。撮像ユニット１２６の下面には、スプリング取付板８２が設けられており、上端がスプリング取付板８２と結合し、下端が筐体４の下面４ｂと結合するスプリング８０が設置されている。また、筐体４の図１０における右側の側面には、ストッパ８４が突設されている。
【００３４】
また、撮像ユニット１２６の下面には、係止爪８６が設けられており、筐体４の下面４ｂに設置された係止凹部８８と係止して撮像ユニット１２６を筐体４内に固定している。ここで、係止凹部８８は図示しないセンサなどの検出手段を有し、係止爪８６が係止凹部８８に対して係止されているか否かを検出する。この図１０に示す場合には、係止爪８６が係止凹部８８に対して係止されていることが検出され、撮像ユニット１２６が筐体４内に収納され、撮像ユニット１２６の上部の前面に設けられている撮影窓６４が筐体４の上面から突出していないと判断されるため、撮像モードが選択されることはない。
【００３５】
また、係止爪８６と係止凹部８８は、係止爪８６が係止凹部８８内へ若干量押し込まれることによって係止が解除されるような既存のラッチ解除機能を備えている。従って、カメラ２０２の開口１４２から露出している撮像ユニット１２６のリリースボタン６２を押下して撮像ユニット１２６を下方へ若干量押し込むと、係止爪８６と係止凹部８８との係止を解除することができる。なお、スプリング８０、ストッパ８４、係止爪８６及び係止凹部８８が移動機構を構成している。また、スムーズな往復移動を実現するために、ガイドレール等のガイド手段を適宜設けてもよい。
【００３６】
図１１は、この実施の形態に係るカメラにおいて、被写体の撮像を行っているときのカメラの外観を示す斜視図である。カメラ２０２の上面の開口１４２から撮像ユニット１２６の上部が突出し、撮像ユニット１２６の上部の前面に設けられた撮影窓６４が完全に露出しているため、撮影窓６４を介して被写体の撮影を行うことができる。
【００３７】
図１２は、この実施の形態に係るカメラにおいて、被写体の撮像を行っているときのカメラの筐体内の構成を示す断面図である。なお、図１２は、カメラ２０２を正面から見たときの図である。係止爪８６と係止凹部８８との係止が解除された場合には、撮像ユニット１２６は、スプリング８０の弾性力によって、ストッパ８４に撮像ユニット１２６のストッパ接触面６６が接するまで上昇移動する。このとき、撮像ユニット１２６の上部は筐体４の開口１４２から突出し、図１１に示されるように、撮影窓６４がカメラ２０２の上面から完全に露出した状態になる。このようにして、撮像ユニット１２６の上部が筐体４から突出した場合には、係止凹部８８に設けられたセンサによって係止凹部８８と係止爪８６との係止が解除されたことが検出される。従って、撮影窓６４が筐体４から突出したと判断されて撮像モードが選択される。撮像モード設定時には、撮像ユニット１２６により、撮影窓６４を介して被写体が撮影される。なお、スプリング８０は、このような状態においても依然として自然長よりも圧縮された状態にあるため、弾性力によってストッパ接触面６６をストッパ８４に対して圧接して、撮影窓６４がカメラ２０２の上面から突出した状態で撮像ユニット１２６を固定している。また、撮像モード設定時には、プロジェクタユニット２８が突出しないように、係止爪７６と係止凹部７８との係止をロックするロック機構などを設けてもよい。
【００３８】
図１３は、この実施の形態に係るカメラにおいて、画像の投影を行っているときのカメラの外観を示す斜視図である。カメラ２０２の上面の開口１４からプロジェクタユニット２８の上部が突出し、投影窓４４が完全に露出しているため、投影窓４４を介して画像の投影を行うことができる。
【００３９】
図１４は、この実施の形態に係るカメラにおいて、画像の投影を行っているときのカメラの筐体内の構成を示す断面図である。なお、図１４は、カメラ２０２を正面から見たときの図である。係止爪７６と係止凹部７８との係止が解除された場合には、プロジェクタユニット２８は、スプリング７０の弾性力によって、ストッパ７４にプロジェクタユニット２８のストッパ接触面５０が接するまで上昇移動し、図１３に示されるような、プロジェクタユニット２８の投影窓４４がカメラ２０２の上面から完全に露出した状態になる。このようにしてプロジェクタユニット２８が上昇移動した場合には、係止凹部７８に設けられたセンサによって係止凹部７８と係止爪７６との係止が解除されたことが検出される。従って、投影窓４４が筐体４から突出したと判断されて投影モードが設定される。投影モード設定時には、プロジェクタユニット２８により、投影窓４４を介して画像が投影される。なお、投影モード設定時には、撮像ユニット１２６が突出しないように、係止爪８６と係止凹部８８との係止をロックするロック機構などを設けてもよい。
【００４０】
次に、この実施の形態に係るカメラの操作について説明する。カメラ２０２の電源がＯＦＦ状態では、プロジェクタユニット２８及び撮像ユニット１２６は、共にカメラ２０２の筐体４内に収納されている。カメラ２０２の電源スイッチ１０が押下されて電源ＯＮ状態になると、係止凹部７８及び係止凹部８８に設けられたセンサによって、それぞれ係止爪７６及び係止爪８６が係止されていることが検出されるため、投影モード及び撮像モードの何れのモードも選択されず待機モードが設定される。待機モード設定時には、カメラ２０２の背面のＬＣＤパネル２０に、例えば「撮像モード設定の場合にはリリースボタン６２を押して下さい。投影モード設定の場合にはリリースボタン４８を押して下さい。」といったメッセージを表示させて、使用者に、一方のユニットを筐体４から突出させて、当該ユニットに対応するモードを選択するように指示してもよい。
【００４１】
被写体の撮像を行う場合には、使用者は、カメラ２０２の上面に露出している撮像ユニット１２６のリリースボタン６２を下方へ押し込んで係止爪８６と係止凹部８８との係止を解除し、撮像ユニット１２６の上部を開口１４２から突出させて、撮影窓６４をカメラ２０２の上面から露出させる。このとき、係止凹部８８に設けられたセンサによる検出に基づいて撮像モードが設定される。撮像モード設定時には、使用者は、シャッタボタン１２を操作して被写体の撮像を行う。
【００４２】
撮像を終了して投影モードに切り替える場合には、使用者は、カメラ２０２の上面から突出している撮像ユニット１２６の上面６０を下方へ押し込んで、撮像ユニット１２６を筐体４内に収納し、係止爪８６と係止凹部８８とを係止させる。このとき、係止凹部８８に設けられたセンサによる検出に基づいて撮像モードが終了される。
【００４３】
画像の投影を行う場合には、使用者は、カメラ２０２の上面に露出しているプロジェクタユニット２８のリリースボタン４８を下方へ押し込んで係止爪７６と係止凹部７８との係止を解除し、投影窓４４をカメラ２０２の上面から露出させる。このとき、係止凹部７８に設けられたセンサによる検出に基づいて投影モードが設定される。投影モード設定時には、使用者は、カメラ２の背面の操作部２２を操作して画像の投影を行う。
【００４４】
なお、電源ＯＮ時に電源スイッチ１０が押下されると電源ＯＦＦ処理が行われるが、投影モード及び撮像モードの何れかの設定時に電源ＯＦＦ処理が行われた場合には、カメラ２０２の上面から突出しているユニットの収納は手動で行う。
【００４５】
この第３の実施の形態に係るカメラによれば、画像の投影を行うときにカメラの筐体から突出し、画像の投影を行わないときには該筐体内に収納される投影窓を有するプロジェクタユニットを備えると共に、被写体の撮像を行うときに該筐体から突出し、被写体の撮像を行わないときには該筐体内に収納される撮影窓を有する撮像ユニットを備えているため、投影窓及び撮影窓を保護するバリアを装置本体に設ける必要がない。従って、カメラの構成を簡易にして製造コストを低下させることができる。また、プロジェクタユニットの投影窓をカメラの筐体から突出させると投影モードが、撮像ユニットの撮影窓を該筐体から突出させると撮像モードがそれぞれ選択されると共に、投影窓を該筐体内に収納すると投影モードの選択が、撮影窓を該筐体内に収納すると撮像モードの選択がそれぞれ終了されるため、カメラの操作を簡便にすることができる。
【００４６】
なお、この第３の実施の形態に係るカメラにおいては、プロジェクタユニット及び撮像ユニットは、共にユニットの全体が移動機構によって移動される構成となっているが、第２の実施の形態に係るカメラに採用されているような、ユニットの一部のみが移動機構によって移動される構成としてもよい。
【００４７】
また、上述した第１〜第３の実施の形態では、スプリング等からなる移動機構を採用しているが、例えばモータによって駆動されるピニオンギアとラック等からなる移動機構を採用してもよい。また、上述した実施の形態では、撮像装置としてカメラを例にしているが、例えばカメラ機能付き携帯電話等の他の電子機器であってもよい。
【図面の簡単な説明】
【００４８】
【図１】第１の実施の形態に係るカメラの外観を示す斜視図である。
【図２】第１の実施の形態に係るカメラにおいて画像の投影を行っているときの外観を示す斜視図である。
【図３】第１の実施の形態に係るカメラの背面の構成を示す図である。
【図４】第１の実施の形態に係るカメラの内部に収納された各ユニットの配置を示す正面図である。
【図５】第１の実施の形態に係るプロジェクタユニットにおいて画像の投影を行っていないときのプロジェクタユニットの構成を示す部分断面図である。
【図６】第１の実施の形態に係るプロジェクタユニットにおいて画像の投影を行っているときのプロジェクタユニットの構成を示す部分断面図である。
【図７】第２の実施の形態に係るプロジェクタユニットにおいて画像の投影を行っていないときのプロジェクタユニットの構成を示す部分断面図である。
【図８】第２の実施の形態に係るプロジェクタユニットにおいて画像の投影を行っているときのプロジェクタユニットの構成を示す部分断面図である。
【図９】第３の実施の形態に係るカメラの外観を示す斜視図である。
【図１０】第３の実施の形態に係るカメラの筐体内の構成を示す断面図である。
【図１１】第３の実施の形態に係るカメラにおいて被写体の撮像を行っているときのカメラの外観を示す斜視図である。
【図１２】第３の実施の形態に係るカメラにおいて被写体の撮像を行っているときのカメラの筐体内の構成を示す断面図である。
【図１３】第３の実施の形態に係るカメラにおいて画像の投影を行っているときのカメラの外観を示す斜視図である。
【図１４】第３の実施の形態に係るカメラにおいて画像の投影を行っているときのカメラの筐体内の構成を示す断面図である。
【符号の説明】
【００４９】
２，２０２…カメラ、４…筐体、１４…開口、２６，１２６…撮像ユニット、２８，１２８…プロジェクタユニット、４０…投影レンズ、４４…投影窓、４８，６２…リリースボタン、６４…撮影窓、７０，８０，１７０…スプリング、７４，８４，１８０…ストッパ、７６，８６，１７６…係止爪、７８，８８，１７８…係止凹部、１４２…開口、１５０…投影レンズ室
【図１】
2009284280.tif 000003
【図２】
2009284280.tif 000004
【図３】
2009284280.tif 000005
【図４】
2009284280.tif 000006
【図５】
2009284280.tif 000007
【図６】
2009284280.tif 000008
【図７】
2009284280.tif 000009
【図８】
2009284280.tif 000010
【図９】
2009284280.tif 000011
【図１０】
2009284280.tif 000012
【図１１】
2009284280.tif 000013
【図１２】
2009284280.tif 000014
【図１３】
2009284280.tif 000015
【図１４】
2009284280.tif 000016